(57)【特許請求の範囲】
【請求項１】
カメラレンズと、
前方部材と後方部材とで構成され、前記カメラレンズを露出させるための開口部が前記前方部材の前面に形成された本体ケースと、
前記開口部の周囲を覆うとともに前記前面上に取り付けられる透光性のカバー部材と、
前記前面上において前記カバー部材で区画される内部領域内に形成され、前記本体ケースより上方に位置する光源から出射されて前記カメラレンズに入射する光の少なくとも一部を遮蔽する遮蔽部材と、
前記前方部材と前記後方部材とで形成される収容空間の内部に配置されるとともに、前記カメラレンズを用いたカメラの撮像範囲の向きを変化させることが可能なチルト機構と、
を備え、
前記遮蔽部材は、前記内部領域内の前記前面上から離れる方向に沿って突出するように前記前面上に形成されている、
カメラ付玄関子機。
【請求項２】
前記遮蔽部材は、前記前面に対して垂直な方向から見て前記開口部と前記光源との間に配置されている、請求項１に記載のカメラ付玄関子機。
【請求項３】
前記遮蔽部材の先端部は、前記カメラレンズを用いたカメラの撮像範囲の外に配置されている、請求項１または請求項２に記載のカメラ付玄関子機。
【請求項４】
前記遮蔽部材は、
前記内部領域内の前記前面上から離れる方向に沿って突出するように前記前面上に板状に形成される第一の遮蔽部と、
前記前面上であって前記第一の遮蔽部より前記光源に近い位置に、前記内部領域内の前記前面上から離れる方向に沿って突出するように板状に形成される第二の遮蔽部と、
を有する、請求項１または請求項２に記載のカメラ付玄関子機。
【請求項５】
前記第一の遮蔽部の先端部は、前記第二の遮蔽部の先端部よりも前記内部領域内の前記前面に近い位置に配置されている、請求項４に記載のカメラ付玄関子機。
【請求項６】
前記第一の遮蔽部の先端部と前記第二の遮蔽部の先端部は、前記カメラレンズを用いたカメラの撮像範囲の外に配置されている、請求項４または請求項５に記載のカメラ付玄関子機。
【請求項７】
前記遮蔽部材の先端面は、上端部から下端部に向けて前記内部領域内の前記前面に対して近づくように傾斜する傾斜面を有している、請求項１または請求項２に記載のカメラ付玄関子機。
【請求項８】
前記遮蔽部材の上端部と下端部は、前記カメラレンズを用いたカメラの撮像範囲の外に配置されている、請求項７に記載のカメラ付玄関子機。
【発明の詳細な説明】
【技術分野】
【０００１】
本発明は、来訪者が居住者を呼び出すためのカメラ付玄関子機に関するものである。
【背景技術】
【０００２】
従来、訪問者を確認するためのカメラ機能を有するカメラ付きの玄関子機がある。このカメラ付玄関子機は、その設置場所や周囲の環境によっては、太陽光やダウンライトの照射光などがカメラレンズに入射してしまう場合がある。この場合、呼出時やモニタ時におけるカメラ映像が確認しづらくなってしまう。そこで、例えば、玄関子機とは別部品であるフード部品（直接光回避プレート）を玄関子機の本体ケースに取り付けることで、カメラレンズに入射する太陽光等を軽減することが提案されている（特許文献１参照）。
【先行技術文献】
【特許文献】
【０００３】
【特許文献１】特開２００８−０６０９０８号公報
【発明の概要】
【発明が解決しようとする課題】
【０００４】
特許文献１に記載の技術のようにフード部品を玄関子機の本体ケースの上部に後から取り付ける構成では、玄関子機の全体の外観や意匠に与える影響が大きくなってしまう。しかし、この影響を考慮してフード部品を小さく設計すると、太陽光やダウンライトの照射光等の光を十分に遮蔽することができず、カメラレンズに入射する光を軽減することができない。
【０００５】
そこで、本発明は、全体の外観や意匠に与える影響を抑えつつ、カメラレンズに入射する光を軽減することが可能なカメラ付玄関子機を提供することを目的とする。
【課題を解決するための手段】
【０００６】
上記目的を達成するために、本発明のカメラ付玄関子機は、
カメラレンズと、
前記カメラレンズを露出させるための開口部が形成された第一面を含む本体ケースと、
前記開口部の周囲を覆うとともに前記第一面上に取り付けられる透光性のカバー部材と、
前記第一面上において前記カバー部材で区画される内部領域内に形成され、前記本体ケースより上方に位置する光源から出射されて前記カメラレンズに入射する光の少なくとも一部を遮蔽する遮蔽部材と、を備える。
【０００７】
本体ケースの上部に遮蔽部材（フード部品）を取り付ける従来構成では、遮蔽部材を一定以上の大きさで形成しないと、カメラレンズに上方から入射する光を軽減することはできない。これに対し、上記構成によれば、遮蔽部材が、本体ケースの第一面におけるカバー部材の内部領域に設けられている。このように、従来構成と比較して遮蔽部材がカメラレンズに近い位置に配置されるため、遮蔽部材がカバー部材の内部領域に収容される程度の形状（大きさ）であっても、カメラレンズに上方から入射してくる光を遮蔽することができる。また、この遮蔽部材は、カバー部材によって覆われるため外部から見て目立たず、カメラ付玄関子機の全体の外観や意匠に与える影響は小さい。したがって、上記構成によれば、カメラ付玄関子機の全体の外観や意匠に与える影響を抑えつつ、カメラレンズに入射する光を軽減することができる。
【０００８】
また、本発明のカメラ付玄関子機において、
前記遮蔽部材は、前記第一面に対して垂直な方向から見て前記開口部と前記光源との間に配置されていても良い。
【０００９】
この構成によれば、開口部と光源との間に配置される遮蔽部材によって、カメラレンズの上方から入射する光を軽減することができる。
【００１０】
また、本発明のカメラ付玄関子機において、
前記遮蔽部材は、前記内部領域内の前記第一面上から離れる方向に沿って突出するように前記第一面上に板状に形成されていても良い。
【００１１】
この構成によれば、外部から見て目立たない板状の構成によって、カメラレンズに入射する光を軽減することができる。
【００１２】
また、本発明のカメラ付玄関子機において、
前記遮蔽部材の先端部は、前記カメラレンズを用いたカメラの撮像範囲の外に配置されていても良い。
【００１３】
この構成によれば、板状の遮蔽部材の先端部がカメラ映像に映り込むことを防ぐことができる。
【００１４】
また、本発明のカメラ付玄関子機において、
前記遮蔽部材は、
前記内部領域内の前記第一面上から離れる方向に沿って突出するように前記第一面上に板状に形成される第一の遮蔽部と、
前記第一面上であって前記第一の遮蔽部より前記光源に近い位置に、前記内部領域内の前記第一面上から離れる方向に沿って突出するように板状に形成される第二の遮蔽部と、を有していても良い。
【００１５】
この構成によれば、カメラ付玄関子機に対する光源の位置が変化した場合であっても、第一遮蔽部と第二遮蔽部によって、カメラレンズに入射してくる光を遮蔽することができる。
【００１６】
また、本発明のカメラ付玄関子機において、
前記第一の遮蔽部の先端部は、前記第二の遮蔽部の先端部よりも前記内部領域内の前記第一面に近い位置に配置されていても良い。
【００１７】
この構成によれば、第一遮蔽部と第二遮蔽部によって、カメラレンズに入射してくる光に起因するフレア状ゴーストだけでなく、カバー部材の内部の反射光（迷光）に起因する点状ゴーストや輝線状ゴーストが発生することを抑制することができる。
【００１８】
また、本発明のカメラ付玄関子機において、
前記第一の遮蔽部の先端部と前記第二の遮蔽部の先端部は、前記カメラレンズを用いたカメラの撮像範囲の外に配置されていても良い。
【００１９】
この構成によれば、第一遮蔽部の先端部と第二遮蔽部の先端部がカメラ映像に映り込むことを防ぐことができる。
【００２０】
また、本発明のカメラ付玄関子機において、
前記遮蔽部材の先端面は、上端部から下端部に向けて前記内部領域内の前記第一面に対して近づくように傾斜する傾斜面を有していても良い。
【００２１】
この構成によれば、カメラ付玄関子機に対する光源の位置が変化した場合であっても、遮蔽部材によってカメラレンズに入射してくる光を遮蔽することができる。
【００２２】
また、本発明のカメラ付玄関子機において、
前記遮蔽部材の上端部と下端部は、前記カメラレンズを用いたカメラの撮像範囲の外に配置されていても良い。
【００２３】
この構成によれば、遮蔽部材がカメラ映像に映り込むことを防ぐことができる。
【００２４】
また、本発明のカメラ付玄関子機において、
前記カメラレンズを用いたカメラの撮像範囲の向きを変化させることが可能なチルト機構を備えていても良い。
【００２５】
この構成によれば、カメラレンズが、光源からの光が入射しやすい姿勢になった場合であっても、カメラ付玄関子機の全体の外観や意匠に影響を与えることなく、カメラレンズに入射する光を軽減することができる。
【発明の効果】
【００２６】
本発明のカメラ付玄関子機によれば、全体の外観や意匠に与える影響を抑えつつ、カメラレンズに入射する光を軽減することができる。
【図面の簡単な説明】
【００２７】
【図１】本発明の実施形態に係るカメラ付玄関子機を示す正面図である。
【図２】図１に示すカメラ付玄関子機のＡ−Ａ線における断面図である。
【図３】図１に示すカメラ付玄関子機の部分斜視図である。
【図４】図３に示すカメラ付玄関子機においてカバー部材を取り外したときの図である。
【図５】遮蔽部材の機能を説明するための光線図であって、（ａ）は遮蔽部材を設けない場合、（ｂ）は遮蔽部材を設けてダウンライトが近い位置にある場合、（ｃ）は遮蔽部材を設けてダウンライトが遠い位置にある場合の図である。
【図６】カメラの撮像画面に現れる光の映り込み現象を説明する図であって、（ａ）は遮蔽部材を設けない場合の画面、（ｂ）は遮蔽部材を設けた場合の画面である。
【図７】遮蔽部材の変形例１を説明するためのカメラ付玄関子機の斜視図である。
【図８】図７に示すカメラ付玄関子機のＢ−Ｂ線における断面図である。
【図９】傾斜遮蔽部の機能を説明するための光線図である。
【図１０】遮蔽部材の変形例２を説明するためのカメラ付玄関子機の斜視図である。
【図１１】一段の遮蔽構造の機能を説明するための光線図である。
【図１２】一段の遮蔽構造を設けた場合の光の映り込み現象を説明する図である。
【発明を実施するための形態】
【００２８】
以下、本実施形態の一例について、図面を参照して詳細に説明する。
図１及び図２に示すように、カメラ付玄関子機１は、本体ケース１０を備えている。本体ケース１０は、前方部材１０ａと後方部材１０ｂとを有している。前方部材１０ａと後方部材１０ｂとで形成される収容空間の内部には、カメラ付玄関子機の各部品が収容されている。
【００２９】
前方部材１０ａの前面（第一面の一例）１１には、呼出しボタン１２と、凹部３１とが設けられている。凹部３１の底面３２には、開口部１３と、第一の遮蔽部１４Ａ，第二の遮蔽部１４Ｂ（遮蔽部材の一例）とが設けられている。また、凹部３１を覆うように、カバー部材１５が本体ケース１０の前面１１に取り付けられている。なお、本体ケース１０の前面１１とは、カメラ付玄関子機１の正面側に居る来訪者と対向する面、すなわち本体ケース１０の前方部材１０ａの表側の面のことを意味し、凹部３１の底面３２も前面１１に含まれる。
【００３０】
呼出しボタン１２は、居住者を呼び出す際に押下されるものである。
【００３１】
前面１１に対して垂直な前方側から見て開口部１３の内側には、カメラレンズ２４が配置されている。開口部１３は、凹部３１の底面３２上に例えば円形状に形成されている。カメラレンズ２４の球面の一部は、開口部１３を介して本体ケース１０の内部から外部へ露出している。カメラレンズ２４の後方には、ＣＣＤ（charge-coupled device），ＣＭＯＳ（complementary metal oxide semiconductor）等の撮像素子２３が設けられている。撮像素子２３とカメラレンズ２４とでカメラユニット２０が構成されている。このカメラユニット２０が、カメラの撮像範囲の向きを変化させることが可能なチルト台（チルト機構の一例）２２に取り付けられている。
【００３２】
カバー部材１５は、透光性を有する略透明の樹脂材で形成されており、カメラレンズ２４を覆うように配置されることでカメラレンズ２４を外部から保護する。カバー部材１５は、開口部１３の周囲を本体ケース１０の前方側から覆うように前面１１上に取り付けられている。カバー部材１５と本体ケース１０の前面１１（底面３２）とで空間（内部領域の一例）Ｓが形成されている。この空間Ｓ内に第一の遮蔽部１４Ａ，第二の遮蔽部１４Ｂが設けられている。
【００３３】
カバー部材１５は、凹部３１にカバー部材１５の一部が嵌め込まれるように取り付けられている。嵌め込まれたカバー部材１５の一部は、凹部３１から前方へ突出している。カバー部材１５の左右両側部には、カメラ付玄関子機１の前方へ向かう光を拡散させる光拡散部１５ａ，１５ｂが設けられている。なお、嵌め込まれたカバー部材１５は、凹部３１から外部へ突出しない構成としても良い。
【００３４】
第一の遮蔽部１４Ａと第二の遮蔽部１４Ｂは、本体ケース１０より上方（例えば玄関の天井）に位置する光源（例えばダウンライト）から出射された光の一部がカメラレンズ２４に入射するのを遮蔽する。第一の遮蔽部１４Ａと第二の遮蔽部１４Ｂは、外部の上方からカバー部材１５を通過してカメラレンズ２４に向かって進む光を遮蔽する位置にそれぞれ設けられている。
【００３５】
本例の第一の遮蔽部１４Ａと第二の遮蔽部１４Ｂは、本体ケース１０の左右方向へ延在する板状に形成されている。第一の遮蔽部１４Ａと第二の遮蔽部１４Ｂは、前面１１（底面３２）から離れる方向に沿って突出するように前面１１上に上下に並列して設けられている。第二の遮蔽部１４Ｂは、前面１１に対して垂直な前方側から見て、第一の遮蔽部１４Ａよりダウンライトに近い上側の位置に設けられている。また、第二の遮蔽部１４Ｂは、第一の遮蔽部１４Ａよりも前面からの突出長さが大きくなるように形成されている。第一の遮蔽部１４Ａと第二の遮蔽部１４Ｂは、前面１１に対して垂直な前方側から見たとき、上下方向において天井のダウンライトと開口部１３との間に配置されている。
【００３６】
図３，図４に示すように、第一の遮蔽部１４Ａの先端面３３Ａおよび第二の遮蔽部１４Ｂの先端面３３Ｂは、それぞれ円弧状に形成されている。カメラレンズ２４に近い側の第一の遮蔽部１４Ａは、ダウンライトから遠い側の第二の遮蔽部１４Ｂよりも円弧部分のＲ（曲率半径）の値が小さく形成されている。
【００３７】
次に、図５，図６を参照して、玄関の天井に設けられたダウンライト４１の光を遮蔽する第一の遮蔽部１４Ａと第二の遮蔽部１４Ｂの機能について説明する。なお、図５において、カメラレンズ２４で撮像できる範囲は撮像範囲４２として図示する。
【００３８】
まず、本例の遮蔽部材の機能について説明をする前に、第一の遮蔽部１４Ａおよび第二の遮蔽部１４Ｂを設けない場合について図５（ａ），図６（ａ）を参照して説明する。
この場合、ダウンライト４１から出射された光の一部は、例えば光Ｌ１で示すようにカバー部材１５を透過してカメラレンズ２４に直接入射し、撮像画像にフレア状ゴースト５１を発生させる原因となる。また、光Ｌ１の一部は、カメラレンズ２４の表面で反射されてカバー部材１５方向へ進み、カバー部材１５の内面でさらに反射された後にカメラレンズ２４に入射し、撮像画像に点状ゴースト５２を発生させる原因となる。このようにカメラレンズ２４にダウンライト４１の光が入射することにより、カメラレンズ２４で撮像された画像５０には照射光の映り込みがフレア状ゴースト５１や点状ゴースト５２となって現れる。
【００３９】
これに対して、第一の遮蔽部１４Ａおよび第二の遮蔽部１４Ｂを設けた場合、図５（ｂ），（ｃ）に示すように、第一の遮蔽部１４Ａおよび第二の遮蔽部１４Ｂによってダウンライト４１の光が遮蔽される。
【００４０】
図５（ｂ）に示すようにダウンライト４１がカメラ付玄関子機１から近い位置に取り付けられている（間隔４３が短い）場合、ダウンライト４１から出射された光のうちカメラレンズ２４へ向かって進む光の多くは、例えば光Ｌ２で示すように第二の遮蔽部１４Ｂの上面によって遮蔽される。また、ダウンライト４１から出射された光の一部Ｌ３は、第二の遮蔽部１４Ｂの先端面３３Ｂで反射された後にカバー部材１５の内面でさらに反射された後、第一の遮蔽部１４Ａの上面によって遮蔽される。このようにして、ダウンライト４１から出射されてカメラレンズ２４に向かう光が第一の遮蔽部１４Ａと第二の遮蔽部１４Ｂによって遮蔽される。
【００４１】
次に、図５（ｃ）に示すようにダウンライト４１がカメラ付玄関子機１から遠い位置に取り付けられている（間隔４４が長い）場合について説明する。この場合、ダウンライト４１から出射された光のうちカメラレンズ２４へ進む光の多くは、例えば光Ｌ４で示すように第一の遮蔽部１４Ａの上面によって遮蔽される。なお、ダウンライト４１から出射されて第一の遮蔽部１４Ａの先端面３３Ａで反射された光は、例えば光Ｌ５で示すようにカメラレンズ２４の撮像範囲４２に入り込まない位置でカバー部材１５の内面で反射された後、カメラレンズ２４から逸れた方向へ進む。
【００４２】
なお、第一の遮蔽部１４Ａおよび第二の遮蔽部１４Ｂの先端面を含む先端部は、図５（ｂ），（ｃ）に示すように、カメラユニット２０がチルト台２２によってチルトした場合であってもカメラの撮像画面に写らないように撮像範囲４２の外側に配置されている。
【００４３】
このようにダウンライト４１の光を遮蔽する第一の遮蔽部１４Ａおよび第二の遮蔽部１４Ｂを設けることにより、図６（ｂ）に示すように、カメラレンズ２４を用いて撮像された画像５５には照射光の映り込みは発生しない。このようにして、フレア状ゴースト５１や点状ゴースト５２が現れないカメラ映像を得ることができる。
【００４４】
ところで、従来のように本体ケースの上部に遮蔽部材（フード部品）を取り付ける構成では、遮蔽部材を一定以上の大きさで形成しないと、カメラレンズに上方から入射する光を十分に遮蔽することはできない。しかし、本体ケースの上部に大きなフード部品を取り付ける構成では、外部から目立ってしまい、製品の外観上好ましくない。
【００４５】
これに対して、本実施形態のカメラ付玄関子機１によれば、第一の遮蔽部１４Ａと第二の遮蔽部１４Ｂを、本体ケース１０の前面１１とカバー部材１５とで区画された空間Ｓ内に設けている。このため、第一の遮蔽部１４Ａと第二の遮蔽部１４Ｂは、カバー部材１５によって覆われているので、外部から見て目立たない。
【００４６】
また、上記従来構成のフード部品と比較して、第一の遮蔽部１４Ａおよび第二の遮蔽部１４Ｂは、カメラレンズ２４に近い位置に配置される。このため、第一の遮蔽部１４Ａおよび第二の遮蔽部１４Ｂが空間Ｓ内に収容される程度の形状（大きさ）であっても、カメラレンズ２４に対して上方から入射してくるダウンライト４１の光を十分に遮蔽することができる。
【００４７】
また、カメラレンズ２４の上側に並設された第一の遮蔽部１４Ａの先端面３３Ａと第二の遮蔽部１４Ｂの先端面３３Ｂとが円弧状に形成され、先端面３３Ａと先端面３３Ｂとを撮像範囲４２に入り込まないように配置されている。これらの二つの遮蔽部（１４Ａ，１４Ｂ）によって二段式の遮蔽構造を設けることにより、ダウンライト４１がカメラ付玄関子機１の近くに設置されていても遠くに設置されていても、図５（ｂ），（ｃ）に示すように、カメラレンズ２４に入射してくる光を十分に遮蔽することができる。これにより、図６（ｂ）に示すように、カメラレンズ２４に入射してくる光に起因するフレア状ゴーストや、カバー部材１５の内部の反射光（迷光）に起因する点状ゴーストや輝線状ゴーストが発生することを抑制することができる。
【００４８】
また、本例では、カメラレンズ２４の撮像範囲の向きを変化させることが可能なチルト台２２を備えているが、カメラレンズ２４の姿勢が変わった場合であっても、第一の遮蔽部１４Ａと第二の遮蔽部１４Ｂによってダウンライト４１の光を十分に遮蔽することができる。
【００４９】
このように、カメラ付玄関子機１によれば、全体の外観や意匠に与える影響を抑えつつ、カメラレンズ２４に入射する光を軽減することができる。
【００５０】
（変形例１）
次に、遮蔽部材の変形例１について図７〜図９を参照して説明する。なお、上述した実施形態と同一の構成部分には同一符号を付すことで説明を省略する。
本例の遮蔽部材は、傾斜面を有する部材（以下、傾斜遮蔽部６１と称する）である。傾斜遮蔽部６１は、左右方向に長い略台形柱状に形成されており、凹部３１の底面３２（前面１１）上において、カメラレンズ２４の上側に本体ケース１０の左右方向へ延在するように配置されている。傾斜遮蔽部６１の先端面６１Ａは、上端部６２から下端部６３に向けて底面３２に対して徐々に近づくように傾斜する傾斜面とされている。また、上端部６２から下端部６３は円弧状に形成されており、上端部６２から下端部６３に向けて徐々に曲率半径の値が小さくなるように形成されている。傾斜遮蔽部６１の上端部６２から下端部は、カメラレンズ２４の撮像範囲４２に入り込まないように配置されている。
【００５１】
図９に示すように、ダウンライト４１からカメラレンズ２４方向へ進む光は、例えば光Ｌ６で示すように、傾斜遮蔽部６１の上面６４によって遮蔽される。また、傾斜遮蔽部６１の先端面６１Ａで反射された光は、カメラレンズ２４の撮像範囲４２に入らずにカバー部材１５で反射された後、カメラレンズ２４から逸れた方向へ進む。なお、先端面６１Ａは円弧状に形成されているため、先端面６１Ａで反射された光は、分散されるように広がって進行する。
【００５２】
このように、傾斜遮蔽部６１を用いた場合も、上記実施形態と同様に、全体の外観や意匠に与える影響を抑えつつ、カメラレンズ２４に入射する光を軽減することができる。
【００５３】
（変形例２）
次に、遮蔽部材の変形例２について図１０〜図１２を参照して説明する。なお、上述した実施形態と同一の構成部分には同一符号を付すことで説明を省略する。
本例の遮蔽部材は、一段の遮蔽構造（以下、遮蔽部７１と称する）を構成している。遮蔽部７１は、底面３２上に板状に形成されており、空間Ｓ内で底面３２から離れる方向に沿って突出している。遮蔽部７１は、空間Ｓにおいて、カメラレンズ２４の上側に本体ケース１０の左右方向へ延在するように設けられている。遮蔽部７１の先端面７２は、円弧状に形成されている。また、遮蔽部７１の先端面７２を含む先端部は、カメラレンズ２４の撮像範囲４２の外側に設けられている。
【００５４】
図１１に示すように、ダウンライト４１からカメラレンズ２４方向へ進む光は、例えば光Ｌ７で示すように、遮蔽部７１の上面７３によって遮蔽される。また、ダウンライト４１から出射されて遮蔽部７１の先端面７２で反射された光は、例えば光Ｌ８で示すようにカバー部材１５の内面で反射された後にカメラレンズ２４に入射する。なお、先端面７２は円弧状に形成されているため、先端面７２で反射された光は、左右方向に分散されるように広がって進行する。
【００５５】
このような構成によれば、図１１に示すように、カメラレンズ２４に対して上方から入射してくるダウンライト４１の光のほとんどが遮蔽部７１の上面７３によって遮蔽される。これにより、カメラレンズ２４に入射される光は、遮蔽部７１の先端面７２で反射されて、さらにカバー部材１５の内面で反射された光だけとされる。この光は、遮蔽部７１の円弧状の先端面７２で左右に分散された後にカバー部材１５の内面で反射される。このため、図１２に示すように、カメラレンズ２４で撮像された画像８１には輝線状ゴースト８２が出現し得るが、そのゴーストは薄く目立たないものとされる。このように、遮蔽部７１を用いた場合も、全体の外観や意匠に与える影響を抑えつつ、カメラレンズ２４に入射する光を軽減することができる。
【００５６】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【００５７】
例えば、上記実施形態や各変形例では、前方部材１０ａの前面１１に凹部３１を設け、その凹部３１の底面３２上に開口部や遮蔽部材を設ける構成例を説明したがこの例に限らない。例えば、凹部３１を設けずに、前方部材１０ａの前面１１にカバー部材１５を取り付けて、カバー部材１５で区画される前面１１の領域面上に開口部や遮蔽部材を設ける構成であっても良い。
【符号の説明】
【００５８】
１：カメラ付玄関子機、１０：本体ケース、１１：前面（第一面の一例）、１３：開口部、１４Ａ：第一の遮蔽部（遮蔽部材の一例）、１４Ｂ：第二の遮蔽部材（遮蔽部材の一例）、１５：カバー部材、Ｓ：空間、２２：チルト台（チルト機構の一例）、２３：撮像素子、２４：カメラレンズ、３１：凹部、３２：底面、３３Ａ，３３Ｂ：先端面、４１：ダウンライト、４２：撮像範囲、６１：傾斜遮蔽部（遮蔽部材の一例）、６１Ａ：先端面、６２：上端部、６３：下端部、７１：遮蔽部（遮蔽部材の一例）、７２：先端面
【図１】
0006453100.tif 000002
【図２】
0006453100.tif 000003
【図３】
0006453100.tif 000004
【図４】
0006453100.tif 000005
【図５】
0006453100.tif 000006
【図６】
0006453100.tif 000007
【図７】
0006453100.tif 000008
【図８】
0006453100.tif 000009
【図９】
0006453100.tif 000010
【図１０】
0006453100.tif 000011
【図１１】
0006453100.tif 000012
【図１２】
0006453100.tif 000013